(57)【要約】      （修正有）【課題】プレントロリ式電気チェーンブロックが、移動の際、プレントロリ式電気チェーンブロックに附着している異物、埃などが、移動の振動などの揺れで落下し、プレントロリ式電気チェーンブロックの下部に吊り込んだ荷に附着、混入することを防止する。【解決手段】プレントロリ式電気チェーンブロックの巻上電動機、巻上チェーンブロック巻上チェーンブロックの収納部分と収納容器全体、ウェイブ両側を挟み込んだ構成のクレーンサドル部のそれら全体をカバーで覆い、その全体を覆った周囲カバー本体から巻上チェーンブロックが上下する開口部を設け、その全体を覆った周囲カバー本体の内側の両側に高架のＨ形の部材のウェィブを挟み込む車輪を設けた。【選択図】  図１
2005001881.tif 000002
【特許請求の範囲】
【請求項１】
プレントロリ式電気チェーンブロックの巻上電動機、巻上チェーンブロックの収納部分の収納容器全体、レール部材のウェイブ両側を挟み込んだ構成のクレーンサドル部のそれら全体の下部とレール長さと平行の側面の立上り部分を覆った周囲カバー本体
【請求項２】
プレントロリ式電気チェーンブロックの巻上電動機、巻上チェーンブロックの収納部分の収納容器全体、レール部材のウェイブ両側を挟み込んだ構成のクレーンサドル部のそれら全体の下部とレール長さと平行の側面の立上り部分を覆った周囲カバー本体のレール長さと平行の側面の内側の両側に設置した回転車輪
【発明の詳細な説明】
【０００１】
【発明の属する技術分野】
プレントロリ式電気チェーンブロックの使用は、高架のレールを軸にしたプレントロリ式電気チェーンブロック一式がそのプレントロリ式電気チェーンブロック本体に設置され複数の車輪がレールのウェイブ両側を挟み込んだ構成のクレーンサドル部でそのプレントロリ式電気チェーンブロックが落下しないようにその高架のレール上を移動している。食品工場、又、印刷工場などで設置されたプレントロリ式電気チェーンブロックは、その移動の際、プレントロリ式電気チェーンブロックに附着している異物、埃などが、移動の振動などの揺れで落下し、プレントロリ式電気チェーンブロックの下部に吊り込んだ荷に附着、混入する。そしてこの落下して附着、混入した異物は、その後の工場での製造過程でそのまま製品に入り込み、不良品となる。本発明は、プレントロリ式電気チェーンブロックが、移動の際、プレントロリ式電気チェーンブロックに附着している異物、埃などが、移動の振動などの揺れで落下し、プレントロリ式電気チェーンブロックの下部に吊り込んだ荷に附着、混入することを防止したプレントロリ式電気チェーンブロック異物落下防止器である。
【０００２】
【従来の技術】
従来のプレントロリ式電気チェーンブロックは、高架のレールを軸にプレントロリ式電気チェーンブロック本体に設置され複数の車輪がレールで構成されたクレーンサドル部でその高架のレールのウェイブ両側を挟み込み、レールからそのプレントロリ式電気チェーンブロックが落下しないような形状で高架のレールを移動している。食品工場、又、印刷工場などで設置されたプレントロリ式電気チェーンブロックは、その移動の際、プレントロリ式電気チェーンブロックに附着している異物、埃などが、移動の振動などの揺れで落下し、プレントロリ式電気チェーンブロックの下部に吊り込んだ荷に附着、混入するのが現状であった。
【０００３】
【発明が解決しようとする課題】
プレントロリ式電気チェーンブロックが、移動の際、プレントロリ式電気チェーンブロックに附着している異物、埃などが、移動の振動などの揺れでの落下を防止し、プレントロリ式電気チェーンブロックの下部に吊り込んだ荷に附着、混入することを防ぐ構造とすることが本発明の課題である。
【０００４】
【課題を解決する為の手段】
今、その構成を図面で追いながら説明すれば、
（イ）プレントロリ式電気チェーンブロックの巻上電動機、巻上ワイヤーロープ、又は巻上チェーンブロック巻上チェーンブロックの収納部分と収納容器全体、ウェイブ両側を挟み込んだ構成のクレーンサドル部のそれら全体を覆った周囲カバー本体。
（ロ）それら全体を覆った周囲カバー本体から巻上のチェーンブロックが上下する開口部。
（ハ）その全体を覆った周囲カバー本体の内側の両側に高架のＨ形の部材のウェィブを挟み込んで設けた車輪。
（ニ）その一体化したプレントロリ式電気チェーンブロックを高架のＨ形に取付けて使用する。
【０００５】
【発明の実施の形態】
次に本発明の実施の形態を述べると
プレントロリ式電気チェーンブロックに設置されたプレントロリ式電気チェーンブロック異物落下防止器が設置されたプレントロリ式電気チェーンブロックは、その移動の際、プレントロリ式電気チェーンブロックに附着している異物、埃などが、移動の振動などの揺れで落下しても、プレントロリ式電気チェーンブロック周囲カバー本体の内部で落下、附着され、プレントロリ式電気チェーンブロックの下部に吊り込んだ荷に附着、混入することがない。その結果、その後の工場での製造過程での製品に異物、埃の附着、混入が最小限となる。
【０００６】
【実施例】
プレントロリ式電気チェーンブロックのその巻上電動機、巻上チェーンブロックの収納部分と収納容器全体、ウェイブ両側を挟み込んだ構成のクレーンサドル部のそれら全体を覆った周囲カバー本体は、その全体を覆った周囲カバー本体の内側の両側に高架レールのＨ形の部材のウェィブを挟み込んで設けた車輪により、プレントロリ式電気チェーンブロックと同時に移動する。食品工場、又、印刷工場などで設置された通常のプレントロリ式電気チェーンブロックは、その移動の際、プレントロリ式電気チェーンブロックに附着している異物、埃などが、移動の振動などの揺れで落下し、プレントロリ式電気チェーンブロックの下部に吊り込んだ製品に附着、混入する。そしてこの落下して附着、混入した異物は、その後の工場での製造過程で製品に入り込み、不良品の原因となる。この本発明の実施例では、プレントロリ式電気チェーンブロックが、移動の際、プレントロリ式電気チェーンブロックに附着している異物、埃などが、移動の振動などの揺れで落下し、プレントロリ式電気チェーンブロックの下部に吊り込んだ製品に附着、混入することを防止することが出来るプレントロリ式電気チェーンブロック異物落下防止器である。
【０００７】
【発明の効果】
プレントロリ式電気チェーンブロックが、移動の際、プレントロリ式電気チェーンブロックに附着している異物、埃などが、移動の振動などの揺れでの落下を防止し、プレントロリ式電気チェーンブロックの下部に吊り込んだ荷に附着、混入することを防ぐ効果がある製品である。よって、食品工場、印刷工場などでの異物の製品への異物の附着、混入は、製品の不良の原因となっていたが、本発明によって、不良品のない製品の製造に寄与できる。
【図面の簡単な説明】
【図１】本発明の使用見上図
【図２】本発明の断面図
【符号の説明】
１は、製品の吊下げフック
２は、巻上チェーンブロックの巻上材
３は、巻上チェーンブロックの巻上材の貫通開口
４は、高架のＨ形のレール
５は、ウェイブ両側を挟み込んだ構成のクレーンサドル部
６は、周囲カバー本体の内側の両側に高架のＨ形の部材のウェィブを挟み込んで設けた車輪
７は、巻上電動機、巻上チェーンブロックの収納部分と収納容器
８は、プレントロリ式電気チェーンブロックの巻上電動機、巻上チェーンブロック巻上チェーンブロックの収納部分と収納容器全体、レール部材のウェイブ両側を挟み込んだ構成のクレーンサドル部のそれら全体を覆った周囲カバー本体
【図１】
2005001881.tif 000003
【図２】
2005001881.tif 000004